(57)【要約】【課題】暖房式便座装置において、男子が小便をする通常使用時にも、便座と便蓋が開かれれば便座を加熱する電気ヒータの通電をＯＦＦするものがあるが、便座を長時間に亘って開いたままにした場合でも、電気ヒータの通電がＯＦＦしたままであり、再び便座を洋式便器の上に倒して用足しをする場合にはこの便座は冷えており、冬季などの低温時には着座したときの不快感が強く、特に老人などには好ましくない。本発明はこれを解消するものである。【解決手段】暖房式便座装置において、便座の回動位置を検出する便座位置検出手段が便座の起立状態を検出したときは電気ヒータの通電をＯＦＦし、便座位置検出手段が便座の平坦状態を検出したときは電気ヒータの通電による加熱状態に制御し、便座が起立状態のまま長時間継続する場合には電気ヒータの通電が所定時間に亘ってＯＦＦ状態を継続した後、電気ヒータの通電による加熱状態に復帰させる。【選択図】図１
2010005361.tif 000002
【特許請求の範囲】
【請求項１】
洋式便器上に載置される平坦状態（閉じた状態）と起立状態（開いた状態）とに回動可
能な便座と、この便座を加温する便座ヒータと、前記便座の平坦状態（閉じた状態）と起
立状態（開いた状態）を検出する便座位置検出手段と、前記便座ヒータの通電制御を行う
制御部を設け、この制御部は、前記便座位置検出手段が便座の起立状態（開いた状態）を
検出したときは前記便座ヒータの通電をＯＦＦモードとし、前記便座位置検出手段が便座
の平坦状態（閉じた状態）を検出したときは前記便座ヒータの通電による加温モードとす
るものにおいて、前記便座の起立状態（開いた状態）が所定時間以上継続する場合には、
前記所定時間に亘って前記ＯＦＦモードとした後、前記便座ヒータの通電による加温モー
ドに復帰させるように制御することを特徴とする暖房式便座装置。
【請求項２】
洋式便器上に載置される平坦状態（閉じた状態）と起立状態（開いた状態）とに回動可
能な便座と、この便座を加温する便座ヒータと、前記便座の平坦状態（閉じた状態）と起
立状態（開いた状態）を検出する便座位置検出手段と、前記便座ヒータの通電制御を行う
制御部を設け、この制御部は、前記便座位置検出手段が便座の起立状態（開いた状態）を
検出したときは前記便座ヒータの通電をＯＦＦモードとし、前記便座位置検出手段が便座
の平坦状態（閉じた状態）を検出したときは前記便座ヒータの通電による加温モードとす
るものにおいて、前記加温モードでは前記便座ヒータの通電制御によって設定温度に制御
され、前記便座の起立状態（開いた状態）が所定時間以上継続する場合には、前記所定時
間に亘って前記ＯＦＦモードとした後、前記設定温度よりも低い省エネ温度に前記便座ヒ
ータの通電制御を行うことを特徴とする暖房式便座装置。
【請求項３】
洋式便器上に載置される平坦状態（閉じた状態）と起立状態（開いた状態）とに回動可
能な便座と、この便座を加温する便座ヒータと、前記便座の平坦状態（閉じた状態）と起
立状態（開いた状態）を検出する便座位置検出手段と、前記便座ヒータの通電制御を行う
制御部を設け、この制御部は、前記便座位置検出手段が便座の起立状態（開いた状態）を
検出したときは前記便座ヒータの通電をＯＦＦモードとし、前記便座位置検出手段が便座
の平坦状態（閉じた状態）を検出したときは前記便座ヒータの通電による加温モードとす
るものにおいて、前記便座の起立状態（開いた状態）が所定時間以上継続する場合には、
前記便座ヒータの通電のＯＦＦモードと、前記便座ヒータの通電による加温モードとを交
互に行い、前記ＯＦＦモード中に前記便座位置検出手段が便座の平坦状態（閉じた状態）
を検出したときは前記便座ヒータの通電による加温モードとなることを特徴とする暖房式
便座装置。
【発明の詳細な説明】
【技術分野】
【０００１】
本発明は、便座ヒータの通電により加温状態に保たれる暖房式便座装置に関する。
【背景技術】
【０００２】
男子が小便をするときや清掃時に、便座と便蓋が開かれたときは、便座ヒータの通電を
遮断して省電力を図る技術がある。（特許文献１参照）。
【特許文献１】特開２０００−０８３８６３号公報
【発明の開示】
【発明が解決しようとする課題】
【０００３】
通常、男子が小便をするときは、便座と便蓋が開かれ、小便が終わったときにこの開い
た便座と便蓋が閉じられるが、この開いた便座と便蓋を閉じ忘れ、便座と便蓋を長時間に
亘って開いたままにする場合がある。また、洋式便器等を清掃するときも便座と便蓋が開
かれるが、乾燥などのために便座と便蓋を長時間に亘って開いたままにする場合もある。
【０００４】
しかし、特許文献１のものは、便座と便蓋を長時間に亘って開いたままにした場合でも
、便座ヒータの通電がＯＦＦしたままであり、再び便座を洋式便器の上に倒して便座に着
座して用足しをする場合には、この便座は冷えており、特に冬季などの低温時には便座が
その周囲温度にまで冷えるため、着座したときの不快感が強く、特に老人などには好まし
くないものとなる。
【０００５】
本発明は、このような点に鑑みて、便座を長時間に亘って開いたままにした場合でも、
便座ヒータの通電がＯＦＦしたままとせず、便座が起立状態（開いた状態）のまま長時間
継続する場合には、便座ヒータの通電が所定時間に亘ってＯＦＦ状態を継続した後、便座
ヒータの通電による加熱状態に復帰させるように制御することにより、便座が起立状態（
開いた状態）を継続していても、便座ヒータの通電による加温状態に復帰するため、再び
洋式便器の上に倒して便座に着座して用足しをする場合にも、暖房便座状態となっている
ため、冬季などの低温時における上記の問題や、冷えた便座に着座するような不快感もな
くなり、特に老人などには好ましいものとなる。
【０００６】
また、本発明はこのような効果を維持しつつ、省エネ効果も発揮できる技術を提供する
ものである。
【課題を解決するための手段】
【０００７】
第１発明は、洋式便器上に載置される平坦状態（閉じた状態）と起立状態（開いた状態
）とに回動可能な便座と、この便座を加温する便座ヒータと、前記便座の平坦状態（閉じ
た状態）と起立状態（開いた状態）を検出する便座位置検出手段と、前記便座ヒータの通
電制御を行う制御部を設け、この制御部は、前記便座位置検出手段が便座の起立状態（開
いた状態）を検出したときは前記便座ヒータの通電をＯＦＦモードとし、前記便座位置検
出手段が便座の平坦状態（閉じた状態）を検出したときは前記便座ヒータの通電による加
温モードとするものにおいて、前記便座の起立状態（開いた状態）が所定時間以上継続す
る場合には、前記所定時間に亘って前記ＯＦＦモードとした後、前記便座ヒータの通電に
よる加温モードに復帰させるように制御することを特徴とする。
【０００８】
第２発明は、洋式便器上に載置される平坦状態（閉じた状態）と起立状態（開いた状態
）とに回動可能な便座と、この便座を加温する便座ヒータと、前記便座の平坦状態（閉じ
た状態）と起立状態（開いた状態）を検出する便座位置検出手段と、前記便座ヒータの通
電制御を行う制御部を設け、この制御部は、前記便座位置検出手段が便座の起立状態（開
いた状態）を検出したときは前記便座ヒータの通電をＯＦＦモードとし、前記便座位置検
出手段が便座の平坦状態（閉じた状態）を検出したときは前記便座ヒータの通電による加
温モードとするものにおいて、前記加温モードでは前記便座ヒータの通電制御によって設
定温度に制御され、前記便座の起立状態（開いた状態）が所定時間以上継続する場合には
、前記所定時間に亘って前記ＯＦＦモードとした後、前記設定温度よりも低い省エネ温度
に前記便座ヒータの通電制御を行うことを特徴とする。
【０００９】
第３発明は、洋式便器上に載置される平坦状態（閉じた状態）と起立状態（開いた状態
）とに回動可能な便座と、この便座を加温する便座ヒータと、前記便座の平坦状態（閉じ
た状態）と起立状態（開いた状態）を検出する便座位置検出手段と、前記便座ヒータの通
電制御を行う制御部を設け、この制御部は、前記便座位置検出手段が便座の起立状態（開
いた状態）を検出したときは前記便座ヒータの通電をＯＦＦモードとし、前記便座位置検
出手段が便座の平坦状態（閉じた状態）を検出したときは前記便座ヒータの通電による加
温モードとするものにおいて、前記便座の起立状態（開いた状態）が所定時間以上継続す
る場合には、前記便座ヒータの通電のＯＦＦモードと、前記便座ヒータの通電による加温
モードとを交互に行い、前記ＯＦＦモード中に前記便座位置検出手段が便座の平坦状態（
閉じた状態）を検出したときは前記便座ヒータの通電による加温モードとなることを特徴
とする。
【発明の効果】
【００１０】
第１発明では、通常使用時は、便座は所定温度に加温されて好ましい暖房便座状態であ
り、また、便座を長時間に亘って開いたままにした場合でも、便座ヒータの通電がＯＦＦ
したままとせず、便座が起立状態（開いた状態）のまま長時間継続する場合には、便座ヒ
ータの通電が所定時間に亘ってＯＦＦ状態を継続した後、便座ヒータの通電による加熱状
態に復帰させるように制御することにより、便座が起立状態（開いた状態）を継続してい
ても、便座ヒータの通電による加温状態に復帰するため、再び洋式便器の上に倒して便座
に着座して用足しをする場合にも暖房便座状態となっているため、冬季などの低温時にお
いて冷えた便座に着座するような不快感もなく、特に老人などには好ましいものとなる。
【００１１】
第２発明では、通常使用時は、便座は所定温度に加温されて好ましい暖房便座状態であ
り、また、便座を長時間に亘って開いたままにした場合でも、便座ヒータの通電がＯＦＦ
したままとせず、便座が起立状態（開いた状態）のまま長時間継続する場合には、便座ヒ
ータの通電が所定時間に亘ってＯＦＦ状態を継続した後、便座ヒータの通電による加熱状
態に復帰させるように制御することにより、便座が起立状態（開いた状態）を継続してい
ても、便座ヒータの通電による加温状態に復帰する。この場合、前記設定温度よりも低い
省エネ温度になるように、省エネ加温モードによる便座ヒータの通電制御を行うことによ
り、再び洋式便器の上に倒して便座に着座して用足しをする場合に備えた予備加温の省エ
ネ効果が得られる。そして、この予備加温によって暖房便座状態となっているため、冬季
などの低温時において冷えた便座に着座するような不快感もなく、特に老人などには好ま
しいものとなる。
【００１２】
第３発明では、通常使用時は、便座は所定温度に加温されて好ましい暖房便座状態であ
り、また、便座を長時間に亘って開いたままにした場合でも、便座ヒータの通電がＯＦＦ
したままとせず、便座が起立状態（開いた状態）のまま長時間継続する場合には、便座ヒ
ータの通電のＯＦＦモードと、便座ヒータの通電による加温モードとを交互に行い、ＯＦ
Ｆモード中に便座位置検出手段が便座の平坦状態（閉じた状態）を検出したときは便座ヒ
ータの通電による加温モードとなるため、再び洋式便器の上に倒して便座に着座して用足
しをする場合にも暖房便座状態となっており、冬季などの低温時において冷えた便座に着
座するような不快感もなく、特に老人などには好ましいものとなる。そして、便座ヒータ
の通電のＯＦＦモードと加温モードとを交互に行うことにより、上記の効果を維持しつつ
、便座が長時間に亘って開いたままであっても、省エネ効果が得られるものとなる。
【発明を実施するための最良の形態】
【００１３】
本発明の暖房式便座装置は、洋式便器上に載置される平坦状態（閉じた状態）と起立状
態（開いた状態）とに回動可能な便座と、便座を加温する便座ヒータと、前記便座の平坦
状態（閉じた状態）と起立状態（開いた状態）を検出する便座位置検出手段と、前記便座
ヒータの通電制御を行う制御部を設け、この制御部は、前記便座位置検出手段が便座の起
立状態（開いた状態）を検出したときは前記便座ヒータの通電をＯＦＦモードとし、前記
便座位置検出手段が便座の平坦状態（閉じた状態）を検出したときは前記便座ヒータの通
電による加温モードとするものにおいて、前記便座の起立状態（開いた状態）が所定時間
以上継続する場合には、前記所定時間に亘って前記ＯＦＦモードとした後、前記便座ヒー
タの通電による加温モードに復帰させるように制御する構成であり、本発明の実施例を以
下に記載する。
【実施例１】
【００１４】
図１は本発明に係る暖房式便座装置の斜視図、図２は図１の暖房式便座装置の本体ケー
ス及び操作部の内部構成を一部破断により示す平面図、図３は本発明に係る暖房式便座装
置の制御回路ブロック図、図４は水銀式スイッチ式便座位置検出スイッチの動作状態の説
明図である。
【００１５】
本発明の実施例を先ず図１に基づき説明すると、１は洋式便器２の上に着脱可能に設置
された暖房式便座装置で、本体ケース３に便座４と便蓋５を上下方向に開閉自在に枢支し
ている。本体ケース３の一方の側面には給水管６を突設し、この給水管にフレキシブルな
配管ホース７を接続していると共に、この配管ホースは、分岐水栓８を介して市水等の水
道管９に接続している。
【００１６】
本体ケース３は、その一方の側面に、前方が上記便座４の側面に沿って延設された操作
部１０を一体的に突設しており、操作部１０は本体ケース３の一部分を構成する。この操
作部１０の上面に複数の操作ボタン１１・・や表示器１２等を配置している。
【００１７】
制御部３２を構成する制御回路基板として、メイン基板１７と操作基板１８が設けられ
ている。図示のものは、制御部３２をメイン基板１７で構成している。操作をリモートコ
ントロール方式とする場合は、操作部１０の部分が、本体ケース３から離れてトイレの壁
等に取り付けられるリモートコントローラとなる。図示のものは、制御部３２をメイン基
板１７で構成している。
【００１８】
本体ケース３内には、図２に示す様に、内部に後述の温水ヒータを内蔵した加温部とな
る温水タンク１３と、この温水タンクと上記給水管６とを接続する給水配管１４と、洗浄
ノズルセット１５と、脱臭機構１６と、メイン基板１７とを主に収納配置していると共に
、操作部１０内には、操作ボタン１１・・や表示器１２の下方に対向位置して操作基板１
８を配置している。
【００１９】
洗浄ノズルセット１５は、ノズルベース１９に一対のおしり用洗浄ノズル２０とビデ用
洗浄ノズル２１を前後方向に進出及び後退自在に収納し、かつ給湯配管２２により図示し
ない切替弁を介して上記温水タンク１３に接続され、この温水タンクより洗浄用の温水を
供給する。
【００２０】
脱臭機構１６は、脱臭用触媒２４と、脱臭ファン２５と、ファンケース２６にて主に構
成し、このファンケース２６は、上記洋式便器２のボウルに対向して開口した第１吸気孔
２７と、本体ケース３内に開口した第２吸気孔２８と、これらの吸気孔から吸引した空気
が上記脱臭用触媒２４を通過した後、本体ケース３の外に排出する排気孔２９とを設けて
いる。
【００２１】
便座４は、図１に一部断面で示すように、便座４の裏側にアルミニウム箔４Ａを介して
絶縁被覆された電気ヒータの便座ヒータ４１が取り付けられており、便座ヒータ４１の発
熱によって便座４が加温される暖房式便座である。
【００２２】
図３は、制御手段となる制御回路３０のブロック図を示すもので、商用電源３１には、
マイクロコンピュータを中心に構成した上記制御部３２を接続し、この制御部３２の出力
にて各々制御するスイッチング素子３６、３７、３８、３９、４０を介して、便座ヒータ
４１、温水タンク１３内の水を加熱する温水ヒータ４２、上記切替弁を回転駆動する洗浄
モータ４３、脱臭ファン２５、洗浄バルブ４４を接続している。
【００２３】
便座４と便蓋５は、手動で開閉されるタイプと、電動で開閉されるタイプがあり、後者
の場合は、本体ケース３に設けた便座４開閉用電動機と便蓋５開閉用電動機が、操作部１
０の操作ボタン１１の操作によって作動される。また、前記リモートコントローラ方式の
場合は、このリモートコントローラに設けたスイッチ操作によって、本体ケース３に設け
た便座４開閉用電動機と便蓋５開閉用電動機が作動される。また、人感知センサ方式では
、トイレ室内への人の出入を人感知センサが検知して、本体ケース３に設けた便座４開閉
用電動機と便蓋５開閉用電動機が作動される。
【００２４】
制御部３２は着座スイッチ３３により便座４への人体の着座を検出すると、スイッチン
グ素子３９を通電して脱臭ファン２５を回転し、操作部１０の操作ボタン１１・・が操作
されて洗浄操作が行なわれると、スイッチング素子３８、４０を適宜作動して洗浄モータ
４３や洗浄バルブ４４を作動し、洗浄モータ４３によって洗浄ノズル２０または２１が進
出すると共に、洗浄バルブ４４が開いて温水タンク１３内の温水の洗浄水が、操作ボタン
１１で選択された洗浄ノズル２０または２１から噴出する。そして、操作部１０の操作ボ
タン１１・・が操作されて洗浄停止操作が行なわれると、スイッチング素子３８、４０を
適宜作動して洗浄モータ４３や洗浄バルブ４４を作動し、洗浄モータ４３によって進出し
ていた洗浄ノズル２０または２１が後退すると共に、洗浄バルブ４４が閉じて洗浄水の噴
出を停止する。
【００２５】
制御部３２は、便座用温度センサ３５により便座４の温度を検出し、この便座４が設定
温度になるようにスイッチング素子３６を制御して便座ヒータ４１への通電をＯＮ−ＯＦ
Ｆ制御する。この設定温度は、操作部１０の操作ボタン１１のうちの便座４の加温温度を
設定する所定のボタン操作（スイッチ操作）を使用者が操作することによって、任意に設
定される温度であり、この所定のボタン操作（スイッチ操作）によって、便座ヒータ４１
の発熱状態を、例えば、強、中、弱の三段階のいずれかを選択することによって、便座ヒ
ータ４１の発熱による加温温度が、強、中、弱のいずれかに設定される温度である。なお
、このようなボタン操作（スイッチ操作）部が設けられていないものでは、制御部３２に
あらかじめ設定された設定温度である。また、便座４の開閉状態を検出する便座位置検出
手段５０として、便座４の開閉に応じて作動する便座位置検出スイッチ５０を設けている
。
【００２６】
制御部３２の入出力回路には上記操作基板１８を接続し、入力回路には上記便座４への
着座を検出する着座スイッチ３３と、便座４の温度を検出する便座用温度センサ３５と、
便座位置検出スイッチ５０を接続している。
【００２７】
便座位置検出スイッチ５０は、その一つの形態として、図４に示すように、密閉容器５
０Ａ内に間隔を存して配置した接点としての電極５０Ｐ、５０Ｑと、水銀Ｈｇが封入され
た水銀式スイッチであり、これは、便座４が平坦状態になれば水銀Ｈｇによって電極５０
Ｐ、５０Ｑが導通し、便座４が起立状態になれば水銀Ｈｇが電極５０Ｐ、５０Ｑから離れ
て非導通となる構成である。また他の形態として、便座４が平坦状態になれば洋式便器２
の上面によって押圧されるスイッチ作動棒によって接点が閉じて導通し、便座４が起立状
態になれば押圧解除されるスイッチ作動棒によって接点が開いて非導通となる機械的スイ
ッチであり、更に他の形態としては、便座４の開閉によって発光部から受光部への光通路
が遮断・導通制御されるように、例えば、便座４が平坦状態になれば発光部から受光部へ
の光通路が遮断し、便座４が起立状態になれば発光部から受光部への光通路が導通となる
光スイッチで構成できる。これら便座位置検出スイッチ５０のスイッチ動作に基づき、制
御部３２が動作して、上記のように便座ヒータ４１の通電が制御されるようにすればよい
。
【００２８】
通常、男子が小便をするときは、便座４と便蓋５が開かれ、小便が終わったときにこの
開いた便座４と便蓋５が閉じられるが、この開いた便座４と便蓋５を閉じ忘れ、便座４と
便蓋５を長時間に亘って開いたままにする場合がある。また、洋式便器２等を清掃すると
きも便座４と便蓋５が開かれるが、乾燥などのために便座４と便蓋５を長時間に亘って開
いたままにする場合もある。
【００２９】
このように便座４と便蓋５を長時間に亘って開いたままにした場合でも、上記のように
、便座用温度センサ３５により便座４の温度を検出し、この便座４が設定温度になるよう
に制御部３２の動作によってスイッチング素子３６を制御して、便座ヒータ４１への通電
をＯＮ−ＯＦＦ制御される場合は、便座ヒータ４１による加温モードであるため、省電力
の観点からすれば無駄なことである。
【００３０】
この点、上記の従来技術では、男子が小便をする通常使用時にも、便座４と便蓋５が開
かれれば便座４を加温する便座ヒータ４１の通電をＯＦＦするため省電力となるが、上記
のように便座４と便蓋５を長時間に亘って開いたままにした場合でも、便座ヒータ４１の
通電がＯＦＦしたままであり、再び便座４を洋式便器２の上に倒して便座４に着座して用
足しをする場合には、この便座は冷えており、特に冬季などの低温時には便座４がその周
囲温度にまで冷えるため、着座したときの不快感が強く、特に老人などには好ましくない
ものとなる。
【００３１】
そこで本発明は、便座位置検出手段５０としての便座位置検出スイッチ５０と、便座ヒ
ータ４１の通電制御を行う制御部３２を設け、制御部３２は、この便座位置検出手段５０
が便座４の起立状態（開いた状態）を検出したときは便座ヒータ４１の通電をＯＦＦし、
便座位置検出手段５０が便座４の平坦状態（閉じた状態）を検出したときは便座ヒータ４
１の通電による加熱状態とする。また、便座４が起立状態（開いた状態）のまま平坦状態
（閉じた状態）に戻されずに、便座４が起立状態（開いた状態）のまま長時間継続する場
合には、途中で便座ヒータ４１による加温モードにする。このため、便座位置検出手段５
０が便座４の起立状態（開いた状態）を検出したときから制御部３２に含まれるタイマが
作動し、上記の制御によって便座ヒータ４１の通電が所定時間に亘ってＯＦＦ状態を継続
した後、制御部３２の動作によって、便座ヒータ４１の通電による加温モードに復帰させ
るように制御するものである。この加温モードでは、上記のように、便座用温度センサ３
５により便座４の温度を検出し、制御部３２は、この便座４が設定温度になるようにスイ
ッチング素子３６を制御して便座ヒータ４１への通電をＯＮ−ＯＦＦ制御する。
【００３２】
即ち、便座４の起立状態（開いた状態）が所定時間（ＫＴと称することとする）以上継
続する場合には、便座ヒータ４１への通電を前記所定時間（ＫＴ）に亘ってＯＦＦ状態（
ＯＦＦモード）で継続し、その後、便座ヒータ４１の通電による加温状態（加温モード）
に復帰させるように制御する。この便座ヒータ４１の通電が所定時間（ＫＴ）に亘ってＯ
ＦＦ状態（ＯＦＦモード）を継続する場合のこの所定時間（ＫＴ）は、男子が小便をする
ときに便座４を起立状態とする通常使用時間（略数分間）よりも十分長い通電休止時間（
例えば、３０分から１時間位）である。
【００３３】
これによって、この通電休止時間、即ち前記所定時間（ＫＴ）を例えば１時間に設定す
れば、便座４を加温する前記設定温度にもよるが、通常はこの１時間において便座ヒータ
４１の通電がＯＮ−ＯＦＦ制御される回数は十数回であるため、この１時間に便座ヒータ
４１が通電される積算時間だけ省電力になることとなる。
【００３４】
また、この設定された便座ヒータ４１の通電休止時間中（所定時間ＫＴ中）に、即ち上
記実施例の３０分から１時間の間に、便座４を洋式便器２上に平坦状態に倒したときは、
便座位置検出スイッチ５０が便座４の平坦状態を検出するため、便座ヒータ４１は、上記
のように制御部３２の動作によって、便座４の温度を上記設定温度に維持するように、便
座ヒータ４１の通電がＯＮ−ＯＦＦ制御される通電制御状態となり、便座ヒータ４１の通
電による加熱状態に復帰する。
【００３５】
本発明では、便座４が起立状態のまま長時間継続しても、便座４が閉じられるまでいつ
までも便座ヒータ４１の通電をＯＦＦするものではないため、男子が小便をした後や清掃
後等に便座４を閉じ忘れても、上記通電休止時間（所定時間ＫＴ）後にはこの便座ヒータ
４１の通電が開始しているため、そのとき便座４に着座する人が不快感を得ることはなく
なる。そして、この通電休止時間中に便座４を洋式便器２上に平坦状態に倒したときは、
便座位置検出スイッチ５０が作動し制御部３２の動作によって、便座４の温度を設定温度
に維持するように便座ヒータ４１の通電がＯＮ−ＯＦＦ制御される通電制御モード（加温
モード）となるため、暖房式便座装置１を使用する上で、特に問題になることはない。
【００３６】
この通電休止時間は、暖房式便座装置１を製造出荷するときに、予め設定した時間とし
ておき、暖房式便座装置１を家屋内に運搬して設置しそのまま使用する場合は、その予め
設定した時間でもって通電休止時間制御が行われるが、操作部１１のスイッチ操作やリモ
ートコントローラのスイッチ操作によって、この通電休止時間を変更できるようにすれば
、暖房式便座装置１を使用する人の希望に副うことができるものとなる。
【実施例２】
【００３７】
図５は便座ヒータ４１へ通電制御状態の説明図であり、前記所定時間（ＫＴ）に達した
とき、未だに便座４が起立状態のままであるときは、実施例１のように、便座ヒータ４１
へ通電して便座４の温度を上記設定温度ＴＢに維持する加温モードとするのではなく、実
施例２の場合は、図５に示すように、制御部３２の動作によって、この設定温度ＴＢより
も所定温度（例えば２〜５℃）低い省エネ温度ＴＡに制御するように、便座ヒータ４１の
通電をＯＮ−ＯＦＦ制御する通電制御状態（省エネ加温モード）とする。この設定温度Ｔ
Ｂは、操作部１０の操作ボタン１１のうちの便座４の加温温度を設定する所定のボタン操
作（スイッチ操作）によって、使用者によって任意に設定される温度であるが、このよう
なボタンが設けられていないものでは、制御部３２にあらかじめ設定された設定温度であ
る。そして、ある時点で便座４を洋式便器２上に平坦状態に倒したときは、便座位置検出
スイッチ５０が作動し制御部３２の動作によって、便座ヒータ４１への通電制御を通常の
制御モード、即ち、便座４の温度を上記設定温度ＴＢに維持する加温モードにて制御を行
うようにシフトさせる。この加温モードでは、上記のように、便座用温度センサ３５によ
り便座４の温度を検出し、制御部３２は、この便座４が設定温度になるようにスイッチン
グ素子３６を制御して便座ヒータ４１への通電をＯＮ−ＯＦＦ制御する。なお、上記設定
温度ＴＡ、ＴＢは、便座ヒータ４１のＯＮ−ＯＦＦの値の平均値となる。
【実施例３】
【００３８】
図６は便座ヒータ４１へ通電制御状態の説明図であり、前記所定時間（ＫＴ）に達した
とき、未だに便座４が起立状態のままであるときは、実施例１のように、便座ヒータ４１
へ通電して便座４の温度を上記設定温度ＴＢに維持する制御モード（加温モード）とする
。そして、この制御モード（加温モード）が所定時間（ＫＴ１）継続しても未だに便座４
が起立状態のままであるときは、再び便座ヒータ４１への通電を所定時間（ＫＴ２）に亘
ってＯＦＦ状態（ＯＦＦモード）とする。便座４が起立状態のままであるときは、このよ
うに便座ヒータ４１への通電を加温モードとＯＦＦモードを交互に行う制御をする。
【００３９】
このような交互制御において、例えば、ＯＦＦモードの所定時間ＫＴ２中のある時点Ｔ
Ｘに便座４を洋式便器２上に平坦状態に倒したときは、便座位置検出スイッチ５０が作動
し制御部３２の動作によって、便座ヒータ４１への通電制御を通常の制御モード、即ち、
便座４の温度を上記設定温度ＴＢに維持する加温モードにて制御を行うようにシフトさせ
る。
【００４０】
また、このような交互制御において、例えば、加温モードの所定時間ＫＴ１中のある時
点ＴＹに便座４を洋式便器２上に平坦状態に倒したときは、便座位置検出スイッチ５０が
作動するが、既に制御部３２の動作によって、便座ヒータ４１への通電制御は加温モード
での制御であるため、この状態を所定時間ＫＴ１に亘って継続することとなる。このよう
な加温モードでは、上記のように、便座用温度センサ３５により便座４の温度を検出し、
制御部３２は、この便座４が設定温度になるようにスイッチング素子３６を制御して便座
ヒータ４１への通電をＯＮ−ＯＦＦ制御する。
【００４１】
なお、この実施例３において、加温モードの所定時間ＫＴ１中は、実施例２と同様に、
設定温度ＴＢよりも所定温度（例えば２〜５℃）低い省エネ温度ＴＡに制御するように、
便座ヒータ４１の通電をＯＮ−ＯＦＦ制御する通電制御状態（省エネ加温モード）とし、
ある時点に便座４を洋式便器２上に平坦状態に倒したときは、便座位置検出スイッチ５０
が作動し制御部３２の動作によって、便座ヒータ４１への通電制御を通常の制御モード、
即ち、便座４の温度を上記設定温度ＴＢに維持する加温モード制御を行うようにシフトさ
せるようにすれば、省エネ効果が発揮できる。
【００４２】
実施例３において、所定時間ＫＴ２は、所定時間ＫＴと同じ時間でもよいが、便座ヒ
ータ４１によって加温する所定時間ＫＴ１との関係において、別個に定めた時間でもよい
。
【産業上の利用可能性】
【００４３】
本発明は、上記実施例に示した構成に限定されず、種々の形態の暖房式便座装置に適用
できるものであり、本発明の技術範囲において種々の形態を包含するものである。
【図面の簡単な説明】
【００４４】
【図１】本発明に係る暖房式便座装置の斜視図である。（実施例１）
【図２】図１の暖房式便座装置の本体ケース及び操作部の内部構成を一部破断により示す平面図である。（実施例１）
【図３】本発明に係る暖房式便座装置の制御回路ブロック図である。（実施例１）
【図４】本発明に係る水銀式スイッチ式便座位置検出スイッチの動作状態の説明図である。（実施例１）
【図５】本発明に係る暖房式便座装置の便座ヒータへ通電制御状態の説明図である。（実施例２）
【図６】本発明に係る暖房式便座装置の便座ヒータへ通電制御状態の説明図である。（実施例３）
【符号の説明】
【００４５】
１・・・・暖房式便座装置
２・・・・洋式便器
３・・・・本体ケース
４・・・・便座
５・・・・便蓋
１０・・・操作部
１３・・・温水タンク（加温部）
１６・・・脱臭機構
１７・・・メイン基板
１８・・・操作基板
２０・・・おしり用洗浄ノズル
２１・・・ビデ用洗浄ノズル
３２・・・制御部
４１・・・便座ヒータ
５０・・・便座位置検出手段（便座位置検出スイッチ）
【図１】
2010005361.tif 000003
【図２】
2010005361.tif 000004
【図３】
2010005361.tif 000005
【図４】
2010005361.tif 000006
【図５】
2010005361.tif 000007
【図６】
2010005361.tif 000008